(57)【要約】【課題】１つの装置でＰＤＨとＳＤＨの両方に対応でき、２つの装置を接続する際のケーブルを削減でき、伝送途中でベースバンド信号の取り出し／挿入／分岐を行う際にもＡＤＭ装置等の別の装置を必要としない。【解決手段】従来のＰＤＨ装置２台に対して、ＳＤＨマッピング回路３５、３７、ＳＤＨデマッピング回路３４、３６、ＳＤＨインタフェース回路３０〜３３を新たに設けることによりＳＤＨ信号の入出力を可能した上で、マトリクス切り替え器９により各入出力信号間の接続を自由に設定することができる。マトリクス切り替え器により入力された信号を多方向へ分岐／合成できるようにしているので、ＰＤＨベースバンド信号とＳＤＨ信号の入出力インタフェースを同時に持つことができ、従来ＰＤＨ用とＳＤＨ用とで別構成となっていた装置を一体化することが可能となる。【選択図】図１
2006060467.tif 000002
【特許請求の範囲】
【請求項１】
ＳＤＨ信号を入力するためのＳＤＨ信号入力端子と、ＳＤＨ信号を出力するためのＳＤＨ信号出力端子と、ＰＤＨベースバンド信号を入力するためのＰＤＨベースバンド信号入力端子と、ＰＤＨベースバンド信号を出力するためのＰＤＨベースバンド信号出力端子と、変調信号を入力するための第１および第２の変調信号入力端子と、変調信号を出力するための第１および第２の変調信号出力端子とを備えたディジタル変復調装置であって、
前記ＳＤＨ信号入力端子から入力されたＳＤＨ信号からクロック信号を抽出し、前記ＳＤＨ信号の符号形式を変換して抽出した前記クロック信号とともに出力する第１のＳＤＨインタフェース回路と、
前記第１のＳＤＨインタフェース回路から出力されたデータ信号とクロック信号とを入力し、該データ信号中に多重されている複数チャネルの信号を分離するＳＤＨデマッピング回路と、
複数チャネルのディジタル信号とクロック信号を入力し、入力された該ディジタル信号を予め規定されたマッピング方法に基づいてマッピングして入力された前記クロック信号とともに出力するＳＤＨマッピング回路と、
前記ＳＤＨマッピング回路から出力されたデータ信号とクロック信号を、規定されたインタフェース形式のＳＤＨ信号に変換して前記ＳＤＨ信号出力端子から出力する第２のＳＤＨインタフェース回路と、
前記ＰＤＨベースバンド信号入力端子から入力されたＰＤＨベースバンド信号からクロック信号を抽出し、入力された前記ＰＤＨベースバンド信号を、予め設定された形式のディジタル信号に変換して抽出した前記クロック信号とともに出力する第１のＰＤＨインタフェース回路と、
入力されたディジタル信号を、予め設定された符号形式の信号に変換して前記ＰＤＨベースバンド信号出力端子から出力する第２のＰＤＨインタフェース回路と、
入力された複数チャネルのデータ信号を多重化して出力する第１の信号多重化回路と、
前記第１の信号多重化回路から出力された多重化ディジタル信号に対して、変調を行う際の変調方式に対応したディジタル処理を行う第１の送信ディジタル処理回路と、
前記第１の送信ディジタル処理回路から入力されたディジタル信号の変調を行い、得られた変調信号を前記第１の変調信号出力端子から出力する第１の変調器と、
前記第１の変調信号入力端子から入力された変調信号を復調することによりディジタル信号に変換する第１の復調器と、
前記第１の復調器により復調されたディジタル信号を入力し、前記第１の送信ディジタル処理回路において行われたディジタル処理に対応したディジタル処理を行う第１の受信ディジタル処理回路と、
前記第１の受信ディジタル処理回路から出力されたデータ信号を複数チャネルのディジタル信号に分離して出力する第１の信号分離回路と、
入力された複数チャネルのデータ信号を多重化して出力する第２の信号多重化回路と、
前記第２の信号多重化回路から出力された多重化ディジタル信号に対して、変調を行う際の変調方式に対応したディジタル処理を行う第２の送信ディジタル処理回路と、
前記第２の送信ディジタル処理回路から入力されたディジタル信号の変調を行い、得られた変調信号を前記第２の変調信号出力端子から出力する第２の変調器と、
前記第２の変調信号入力端子から入力された変調信号を復調することによりディジタル信号に変換する第２の復調器と、
前記第２の復調器により復調されたディジタル信号を入力し、前記第２の送信ディジタル処理回路において行われたディジタル処理に対応したディジタル処理を行う第２の受信ディジタル処理回路と、
前記第２の受信ディジタル処理回路から出力されたデータ信号を複数チャネルのディジタル信号に分離して出力する第２の信号分離回路と、
前記ＳＤＨデマッピング回路からの複数チャネルのディジタル信号、前記第１のＰＤＨインタフェース回路からのディジタル信号、前記第１および第２の信号分離回路からのディジタル信号を、各チャネル毎にそれぞれ、予め選択された切り替えに設定に基づいて、前記ＳＤＨマッピング回路、前記ＰＤＨインタフェース回路、前記第１および第２の信号多重化回路のいずれかに対して切り替えて出力するマトリクス切り替え器と、
を備えたディジタル変復調装置。
【請求項２】
前記第１および第２のＳＤＨインタフェース回路および前記ＳＤＨマッピング回路、前記ＳＤＨデマッピング回路が、それぞれ２系統備えられている請求項１記載のディジタル変復調装置。
【請求項３】
前記マトリクス切り替え器は、４方向のデータ入力端子を備え、ある１方向から入力されたデータを他の３方向のうちのいずれか１つの方向を選択して切り替えて出力することができる複数のスイッチがマトリクス状に配置されることにより構成されている請求項１または２記載のディジタル変復調装置。
【発明の詳細な説明】
【技術分野】
【０００１】
本発明は、固定系マイクロ波通信システム等において用いられているディジタル変復調装置に関する。
【背景技術】
【０００２】
近年、マイクロ波通信システム等において用いられている通信ネットワークの規格としては、ＩＴＵ−Ｔ（International Telecommunication Union-Telecommunication Standardization Sector：国際電気通信連合・電気通信標準化部門）およびＩＴＵ−Ｒ（ITU-Radio communication sector：国際電気通信連合の無線通信部門）において標準化されたＳＤＨ（Synchronous Digital Hierarchy）が用いられるようになっている。しかし、このＳＤＨが標準化される前には、ＰＤＨ（Plesiochronous Digital Hierarchy）という伝送規格が存在していた。
【０００３】
このようなＰＤＨ、ＳＤＨシステムにおいて使用されていた従来のディジタル変復調装置の回路構成を図９及び図１０を参照して説明する。
【０００４】
図９は従来のＰＤＨ装置の構成例を示した図である。この従来のＰＤＨ装置は、図９に示されるように、ＰＤＨインタフェース回路（ＬＩＵ:Line Interface Unit）５、６と、信号多重化回路（ＭＵＸ）１０と、信号分離回路１１（ＤｅＭＵＸ）と、送信ディジタル処理回路（ＴＤＰＵ：Transmission Digital Processing Unit）１４と、受信ディジタル処理回路（ＲＤＰＵ：Reception Digital Processing Unit）１５と、変調器（ＭＯＤ）１８と、復調装置（ＤＥＭ）１９とから構成されている。
【０００５】
図９において、ＰＤＨベースバンド信号入力端子１に入力されたＥ１／Ｔ１信号等の複数のＰＤＨベースバンド信号は、ＰＤＨインタフェース回路５、信号多重化回路１０、送信ディジタル処理回路１４、変調器１８を通り変調信号出力端子２２から出力される。また変調信号入力端子２３より入力された変調信号は復調器１９、受信ディジタル処理回路１５、信号分離回路１１により複数のディジタル信号に分離された後、インタフェース回路６を通り、ＰＤＨベースバンド信号出力端子２から出力される。
【０００６】
ここで、Ｅ１信号とは、欧州の階層化規格における伝送単位であり、伝送速度が２．０４８Ｍｂｐｓの信号である。また、Ｔ１信号とは、北米、日本の階層化規格における伝送単位であり、伝送速度が１．５４４Ｍｂｐｓの信号である。
【０００７】
図１０は従来のＳＤＨ装置例を示す。この従来のＳＤＨ装置は、図１０に示されるように、ＳＤＨインタフェース回路（ＳＰＩ:SDH Physical Interface）３０、３１と、ＳＤＨデマッピング回路３４と、ＳＤＨマッピング回路３５と、信号多重化回路（ＭＵＸ）１０と、信号分離回路（ＤｅＭＵＸ）１１と、送信ディジタル処理回路（ＴＤＰＵ）１４と、受信ディジタル処理回路（ＲＤＰＵ）１５と、変調器（ＭＯＤ）１８と、復調装置（ＤＥＭ）１９とから構成されている。
【０００８】
図１０において、ＳＤＨ信号入力端子２６に入力されたＳＴＭ(Synchronous Transport Module)−１等のＳＤＨ信号は、ＳＤＨインタフェース回路３０、ＳＤＨデマッピング回路３４、信号多重化回路１０、送信ディジタル処理回路１４、変調器１８を通り変調信号出力端子２２から出力される。また変調信号入力端子２３より入力より入力された信号は復調器１９、受信ディジタル処理回路１５、信号分離回路１１、ＳＤＨマッピング回路３５によりＳＤＨ信号に変換されインタフェース回路を通り、ＳＤＨ信号出力端子２７から出力される。ここで、ＳＴＭ−１とは、ＳＤＨで規定された伝送単位のうちの１つであり、伝送速度が１５５．５２Ｍｂｐｓの信号である。
【０００９】
現在では、光通信ネットワークに用いられる規格は、ＰＤＨからＳＤＨへと移行しつつある。しかし、現在においてはＰＤＨとＳＤＨとが混在しているため、送受信しようとする信号の規格毎にＰＤＨ装置またはＳＤＨ装置を選択して実装しなければならなかった。しかし、ＰＤＨ装置で用いられているＰＤＨ信号は、Ｅ１／Ｔ１信号等の複数のチャネルが並列に並んだ信号であるのに対して、ＳＤＨ装置で用いられているＳＤＨ信号は、ＳＴＭ−１信号等の複数のチャネルが２線の信号に多重化され構成となっている。そのため、ＰＤＨ装置とＳＤＨ装置とでは異なった装置となり、かつ伝送方向別に別の装置が必要になるという問題がある。
【００１０】
そのため、ＰＤＨ信号とＳＤＨ信号の両方を扱う装置では、多重化／分離等の変換や複雑な接続等が必要となり（例えば、特許文献１参照。）、扱う信号の用途に応じて様々なシステム構成をとる必要があった。
【００１１】
また、図９に示したような従来のＰＤＨ装置を用いて中間中継局を構成した場合のシステム図を図１１に示す。この中間中継局は、送受信装置（ＴＲ）９５、９６と、アンテナ９７、９８と、図９に示したような構成のディジタル変復調装置９０、９１とから構成されている。
【００１２】
このディジタル変復調装置９０、９１によって入出力されるＥ１／Ｔ１等のＰＤＨ信号は、複数チャネルがパラレルに接続された信号であるため、２つのディジタル変復調装置９０、９１間を多数のベースバンドケーブルで接続する必要がある。そして、このように多数のベースバンドケーブルで２つの装置間を接続しなければならないことにより、接続間違いの発生、設置の際の手間の増加等の様々な弊害が発生する。
【００１３】
また、図１０に示したような従来のＳＤＨ装置を用いて中間中継局を構成した場合のシステム図を図１２に示す。この中間中継局は、送受信装置（ＴＲ）９５、９６と、アンテナ９７、９８と、図１０に示したような構成のディジタル変復調装置９２、９３とから構成されている。
【００１４】
このディジタル変復調装置９２、９３によって入出力されるＳＴＭ−１等のＳＤＨ信号は、複数チャネルが多重化された信号であるため、２つのディジタル変復調装置９２、９３間を接続するには、入出力各１本で合計２本の同軸ケーブルを用いるだけでよい。しかし、複数チャネルが１つの信号に多重化されているため、一部のチャネルを抜き出したり、途中で新たなチャネルを挿入したりする場合には、図１３に示すようにＡＤＭ（Add Drop Multiplexer）装置９４が必要となる。
【特許文献１】特開２０００−２２４２１１号公報
【発明の開示】
【発明が解決しようとする課題】
【００１５】
上述した従来技術では、ディジタル変復調装置はＰＤＨ用とＳＤＨ用に別れており、かつ伝送方向毎に装置が必要であり、ＰＤＨ装置の場合は各装置間の接続はＰＤＨベースバンド信号（Ｅ１／Ｔ１等）ごとにケーブル接続する必要があり、ＳＤＨ装置の場合はＰＤＨベースバンド信号の取り出し／挿入／分岐のためには別の装置が必要となるという問題点があった。
【００１６】
本発明の目的は、１つの装置でＰＤＨとＳＤＨの両方に対応できるとともに、２つの装置を接続する際のケーブルを削減することができ、また伝送途中でベースバンド信号の取り出し／挿入／分岐を行う際にもＡＤＭ装置等の別の装置を必要としないディジタル変復調装置を提供することである。
【課題を解決するための手段】
【００１７】
上記目的を達成するために、本発明は、ＳＤＨ信号を入力するためのＳＤＨ信号入力端子と、ＳＤＨ信号を出力するためのＳＤＨ信号出力端子と、ＰＤＨベースバンド信号を入力するためのＰＤＨベースバンド信号入力端子と、ＰＤＨベースバンド信号を出力するためのＰＤＨベースバンド信号出力端子と、変調信号を入力するための第１および第２の変調信号入力端子と、変調信号を出力するための第１および第２の変調信号出力端子とを備えたディジタル変復調装置であって、
前記ＳＤＨ信号入力端子から入力されたＳＤＨ信号からクロック信号を抽出し、前記ＳＤＨ信号の符号形式を変換して抽出した前記クロック信号とともに出力する第１のＳＤＨインタフェース回路と、
前記第１のＳＤＨインタフェース回路から出力されたデータ信号とクロック信号とを入力し、該データ信号中に多重されている複数チャネルの信号を分離するＳＤＨデマッピング回路と、
複数チャネルのディジタル信号とクロック信号を入力し、入力された該ディジタル信号を予め規定されたマッピング方法に基づいてマッピングして入力された前記クロック信号とともに出力するＳＤＨマッピング回路と、
前記ＳＤＨマッピング回路から出力されたデータ信号とクロック信号を、規定されたインタフェース形式のＳＤＨ信号に変換して前記ＳＤＨ信号出力端子から出力する第２のＳＤＨインタフェース回路と、
前記ＰＤＨベースバンド信号入力端子から入力されたＰＤＨベースバンド信号からクロック信号を抽出し、入力された前記ＰＤＨベースバンド信号を、予め設定された形式のディジタル信号に変換して抽出した前記クロック信号とともに出力する第１のＰＤＨインタフェース回路と、
入力されたディジタル信号を、予め設定された符号形式の信号に変換して前記ＰＤＨベースバンド信号出力端子から出力する第２のＰＤＨインタフェース回路と、
入力された複数チャネルのデータ信号を多重化して出力する第１の信号多重化回路と、
前記第１の信号多重化回路から出力された多重化ディジタル信号に対して、変調を行う際の変調方式に対応したディジタル処理を行う第１の送信ディジタル処理回路と、
前記第１の送信ディジタル処理回路から入力されたディジタル信号の変調を行い、得られた変調信号を前記第１の変調信号出力端子から出力する第１の変調器と、
前記第１の変調信号入力端子から入力された変調信号を復調することによりディジタル信号に変換する第１の復調器と、
前記第１の復調器により復調されたディジタル信号を入力し、前記第１の送信ディジタル処理回路において行われたディジタル処理に対応したディジタル処理を行う第１の受信ディジタル処理回路と、
前記第１の受信ディジタル処理回路から出力されたデータ信号を複数チャネルのディジタル信号に分離して出力する第１の信号分離回路と、
入力された複数チャネルのデータ信号を多重化して出力する第２の信号多重化回路と、
前記第２の信号多重化回路から出力された多重化ディジタル信号に対して、変調を行う際の変調方式に対応したディジタル処理を行う第２の送信ディジタル処理回路と、
前記第２の送信ディジタル処理回路から入力されたディジタル信号の変調を行い、得られた変調信号を前記第２の変調信号出力端子から出力する第２の変調器と、
前記第２の変調信号入力端子から入力された変調信号を復調することによりディジタル信号に変換する第２の復調器と、
前記第２の復調器により復調されたディジタル信号を入力し、前記第２の送信ディジタル処理回路において行われたディジタル処理に対応したディジタル処理を行う第２の受信ディジタル処理回路と、
前記第２の受信ディジタル処理回路から出力されたデータ信号を複数チャネルのディジタル信号に分離して出力する第２の信号分離回路と、
前記ＳＤＨデマッピング回路からの複数チャネルのディジタル信号、前記第１のＰＤＨインタフェース回路からのディジタル信号、前記第１および第２の信号分離回路からのディジタル信号を、各チャネル毎にそれぞれ、予め選択された切り替えに設定に基づいて、前記ＳＤＨマッピング回路、前記ＰＤＨインタフェース回路、前記第１および第２の信号多重化回路のいずれかに対して切り替えて出力するマトリクス切り替え器とを備えている。
【００１８】
本発明によれば、ＳＤＨインタフェース回路、ＰＤＨインタフェース回路およびＳＤＨマッピング／デマッピング回路を備えるとともにマトリクス切り替え器により入力された信号を多方向へ分岐／合成できるようにしているので、ＰＤＨベースバンド信号とＳＤＨ信号の入出力インタフェースを同時に持つことができる。そのため、従来ＰＤＨ用とＳＤＨ用とで別構成となっていた装置を一体化することが可能となる。
【００１９】
また、本発明によれば、信号多重回路、送信ディジタル処理回路、変調回路、信号分離回路、受信ディジタル処理回路、復調器をそれぞれ２系統備えるようにしているので、１つの装置で２方向の伝送を実現することあるいは中間中継局を構成することが可能となる。
【００２０】
また、本発明によれば、マトリクス切り替え器およびＳＤＨマッピング／デマッピング回路を備えていることにより複数の装置間を、ＳＤＨインタフェースを使用して接続することができるので、必要最小限の本数のケーブルで装置間を接続することが可能となる。
【００２１】
さらに、本発明によれば、ＳＤＨ装置として使用する場合でも、ＰＤＨインタフェースを備えていることにより、伝送途中でベースバンド信号の取り出し／挿入／分岐を行う際にもＡＤＭ装置等の別の装置を必要としない。
【００２２】
また、本発明では、前記第１および第２のＳＤＨインタフェース回路および前記ＳＤＨマッピング回路、前記ＳＤＨデマッピング回路をそれぞれ２系統備えるようにしてもよい。
【００２３】
本発明では、ＳＤＨ信号、ＰＤＨ信号を入出力するための、第１および第２のＳＤＨインタフェース回路およびＳＤＨマッピング回路、ＳＤＨデマッピング回路をそれぞれ２系統備えるようにしたことにより、様々なシステム構成が可能となりシステム構成上の柔軟性を高めることができる。
【００２４】
さらに、前記マトリクス切り替え器は、４方向のデータ入力端子を備え、ある１方向から入力されたデータを他の３方向のうちのいずれか１つの方向を選択して切り替えて出力することができる複数のスイッチがマトリクス状に配置されることにより構成するようにしてもよい。
【発明の効果】
【００２５】
以上説明したように、本発明においては、以下に記載するような効果を奏する。
（１）ＰＤＨベースバンド信号とＳＤＨ信号の入出力インタフェースを同時に備えているので、従来はＰＤＨ用とＳＤＨ用とで別構成となっていた装置を一体化することが可能となる。
（２）信号多重回路、送信ディジタル処理回路、変調回路、信号分離回路、受信ディジタル処理回路、復調器をそれぞれ２系統備えるようにしているので、１つの装置で２方向の伝送を実現することあるいは中間中継局を構成することが可能となる。
（３）マトリクス切り替え器およびＳＤＨマッピング／デマッピング回路を備えていることにより複数の装置間を、ＳＤＨインタフェースを使用して接続することができるので、必要最小限の本数のケーブルで装置間を接続することが可能となる。
（４）ＳＤＨ装置として使用する場合でも、ＰＤＨインタフェースを備えていることにより、伝送途中でベースバンド信号の取り出し／挿入／分岐を行う際にもＡＤＭ装置等の別の装置を必要としない。
【発明を実施するための最良の形態】
【００２６】
次に、本発明の実施の形態について図面を参照して詳細に説明する。
【００２７】
図１は本発明の一実施形態のディジタル変復調装置の構成を示すブロック図である。図１において、図９、図１０中の構成要素と同一の構成要素には同一の符号を付し、説明を省略するものとする。
【００２８】
本実施形態のディジタル変復調装置は、図１に示すように、ＳＤＨ信号を入力するためのＳＤＨ信号入力端子２６、２８と、ＳＤＨ信号を出力するためのＳＤＨ信号出力端子２７、２９と、ＰＤＨベースバンド信号を入力するためのＰＤＨベースバンド信号入力端子１と、ＰＤＨベースバンド信号を出力するためのＰＤＨベースバンド信号出力端子２と、変調信号を入力するための２つの変調信号入力端子２３、２５と、変調信号を出力するための２つの変調信号出力端子２２、２４とを備えている。
【００２９】
そして、本実施形態のディジタル変復調装置は、図１に示されるように、ＰＤＨインタフェース回路（ＬＩＵ：Line Interface Unit）５、６と、マトリクス切り替え器（Matrix Switch）９と、信号多重化回路（ＭＵＸ）１０、１２と、信号分離回路（ＤｅＭＵＸ）１１、１３と、送信ディジタル処理回路（ＴＤＰＵ：Transmission Digital Processing Unit）１４、１６と、受信ディジタル処理回路（ＲＤＰＵ：Reception Digital Processing Unit）１５、１７と、変調器（ＭＯＤ）１８、２０と、復調器（ＤＥＭ）１９、２１と、ＳＤＨインタフェース回路（ＳＰＩ:SDH Physical Interface）３０〜３３と、ＳＤＨデマッピング回路（ＳＤＨ  ＤｅＭａｐ.）３４、３６と、ＳＤＨマッピング回路（ＳＤＨ  Ｍａｐ.）３５、３７とから構成されている。
【００３０】
本実施形態のディジタル変復調装置は、図９に示したようなＰＤＨ装置２台に対して、ＳＤＨマッピング回路３５、３７、ＳＤＨデマッピング回路３４、３６、ＳＤＨインタフェース回路３０〜３３を新たに設けることによりＳＤＨ信号の入出力を可能した上で、マトリクス切り替え器９により各入出力信号間の接続を自由に設定することができるようにした構成となっている。
【００３１】
このような構成となっていることにより、本実施形態のディジタル変復調装置では、ＰＤＨ用装置のベースバンド信号（Ｅ１／Ｔ１等）とＳＤＨ用装置のＳＤＨ信号両方のインタフェースを同時に持つことができ、かつＰＤＨベースバンド信号の自局での取り出し／挿入を含め全ての信号の伝送方向を決められた最小単位（Ｅ１／Ｔ１等）毎にマトリクス切り替え器９によりソフトウェアで設定でき、かつ装置間接続を前述のＳＤＨインタフェースを使うことにより最小限のケーブル数で接続可能となる。
【００３２】
次に、本実施形態のディジタル変復調装置を構成している各構成要素の動作について下記に説明する。
【００３３】
ＳＤＨインタフェース回路３０は、ＳＤＨ信号入力端子２６、２８からＳＴＭ−１信号等のＳＤＨ信号を入力し、入力されたＣＭＩ（Code Mark Inversion）符号形式のＳＤＨ信号からクロック信号を抽出した後にＮＲＺ（Non Return to Zero）形式のデータに変換し、抽出したクロック信号と共に後段のＳＤＨデマッピング回路３４に出力する。
【００３４】
ここで、ＳＤＨ信号入力端子２６から入力される信号には、電気信号の場合と光信号の場合がある。この電気信号および光信号は、ともにＩＴＵ−Ｔによる規格によって定められた信号であり、電気信号はＩＴＵ−Ｔ  Ｇ.７０３によって規定された信号であり、光信号はＩＴＵ−Ｔ  Ｇ.９５７によって規定された信号となっている。
【００３５】
そのため、ＳＤＨ信号入力端子２６から入力される信号が光信号の場合には、ＳＤＨインタフェース回路３０は、ＣＭＩ符号変換の代わりに光／電気変換を行い、得られたデータおよびクロックを後段のＳＤＨデマッピング回路３４に出力する。
【００３６】
ＳＤＨデマッピング回路３４は、ＳＤＨインタフェース回路３０から出力されたデータ信号とクロック信号とを入力し、このデータ信号中に多重されている複数チャネルの信号を分離してマトリクス切り替え器９に出力する。例えば、ＳＤＨデマッピング回路３４は、ＳＤＨインタフェース回路３０からの信号を２Ｍｂｐｓの伝送速度を有する６３チャネルの信号に分離してマトリクス切り替え器９に出力する。
【００３７】
ＳＤＨマッピング回路３５は、マトリクス切り替え器９から出力された複数チャネルのディジタル信号とクロック信号を入力し、この複数チャネルのディジタル信号をＩＴＵ−Ｔ  Ｇ.７０７により規定されるマッピング方法に基づいてマッピングしてクロック信号とともにＳＤＨインタフェース回路３１に出力する。
【００３８】
ＳＤＨインタフェース回路３１は、ＳＤＨマッピング回路３５から出力されたデータ信号とクロック信号を、ＩＴＵ−Ｔ  Ｇ.７０３で規定されるインタフェース形式（ＣＭＩ符号形式）に変換してＳＤＨ信号出力端子２７から出力する。ＳＤＨインタフェース回路３１は、ＳＤＨマッピング回路３５から入力される信号が光信号の場合も同様にＧ.９５７で規定されるインタフェース形式の光信号に変換して出力する。
【００３９】
ＳＤＨインタフェース回路３２、３３、ＳＤＨマッピング回路３６、ＳＤＨデマッピング回路３７の動作は、ＳＤＨインタフェース回路３０、３１、ＳＤＨマッピング回路３４、ＳＤＨデマッピング回路３５の動作とそれぞれ同様であるためその説明は省略する。
【００４０】
ＳＤＨ信号入力端子２６、２８、ＳＤＨ信号出力端子２７、２９を装置間接続のみにしようとする場合はインターフェース規格は独自のものとしてもよい。
【００４１】
ＰＤＨインタフェース回路５は、ＰＤＨベースバンド信号入力端子１からＰＤＨベースバンド信号を入力し、マトリクス切り替え器９において処理が可能な形式のディジタル信号に変換する。具体的には、ＰＤＨベースバンド信号入力端子１から入力されるＰＤＨベースバンド信号は、バイポーラ符号形式の信号になっているため、ＰＤＨインタフェース回路５では、入力されたＰＤＨベースバンド信号からクロック信号を抽出し、バイポーラ形式の信号をユニポーラ形式の信号に変換して、ユニポーラ形式に変換された信号とクロック信号とがマトリクス切り替え器９に出力される。
【００４２】
ＰＤＨインタフェース回路６は、マトリクス切り替え器９から出力されたユニポーラ信号とクロック信号とを入力し、ユニポーラ信号をバイポーラ符号形式に変換しってＰＤＨベースバンド信号出力端子２から出力する。
【００４３】
信号多重化回路１０は、マトリクス切り替え器９から出力された、それぞれ２Ｍｂｐｓの伝送速度を有するＮ列（Ｎ＝６３）のデータ信号を多重化してＭ列のディジタル信号に変換するＮ−Ｍ列変換を行う。ここで、ハードウェア構成によってＭの値は適切に設定されるが、本実施形態では、Ｍ＝８であるものとして説明を行う。
【００４４】
送信ディジタル処理回路１４は、信号多重化回路１０から入力されたＭ列の多重化ディジタル信号を入力し、無線区間特有の冗長ビット（例えば、誤り訂正ビット）の付加等を行うための速度変換を行うとともに変調器１８の変調方式に対応した列変換を行う。例えば、変調器１８の変調方式が１２８ＱＡＭ（Quadrature Amplitude Modulation：直交振幅変調）方式ならば、送信ディジタル処理回路１４は、信号多重化回路１０からの信号を、７列のデータ信号とクロック信号に変換して変調器１８に出力する。
【００４５】
変調器１８は、送信ディジタル処理回路１４から入力されたディジタル信号の変調を行い、得られた変調信号を変調信号出力端子２２から出力する。
【００４６】
信号多重化回路１２、送信ディジタル処理回路１６、変調器２０の動作については、信号多重化回路１０、送信ディジタル処理回路１４、変調器１８の動作とそれぞれ同様であるためのその説明は省略する。
【００４７】
復調器１９は、変調信号入力端子２３から入力された変調信号を復調することによりディジタル信号に変換して受信ディジタル処理回路１５に出力する。
【００４８】
受信ディジタル処理回路１５は、復調器１９からのディジタル信号を入力し、無線対向側の送信ディジタル処理回路１４において行われたディジタル処理に対応したディジタル処理を行う。具体的には、受信ディジタル処理回路１５は、ディジタル処理回路１４において付加された誤り訂正ビットを用いて誤り訂正（ＦＥＣ：Forward Error Correction）を実施し、その後、誤り訂正冗長ビットを削除しＭ列のデータ信号を信号分離回路１１に出力する。
【００４９】
信号分離回路１１は、受信ディジタル処理回路１５から入力されたＭ列のデータ信号をＮ列のディジタル信号に分離してマトリクス切り替え器９に出力する。
【００５０】
マトリクス切り替え器９は、Ｎ列（本実施形態ではＮ＝６３）のデータ入力端子を４方向備えていて、ある１方向から入力されたデータを他の３方向のうちのいずれかを選択して切り替えることができる複数のスイッチがマトリクス状に配置されることにより構成されている。そして、マトリクス切り替え器９は、ＳＤＨデマッピング回路３４、３６からの複数チャネルのディジタル信号、ＰＤＨインタフェース回路１からのディジタル信号、信号分離回路１１、１３からのディジタル信号を、各チャネル毎にそれぞれ、予め選択された切り替えに設定に基づいて、ＳＤＨマッピング回路３５、３７、ＰＤＨインタフェース回路６、信号多重化回路１０、１２のいずれかに対して切り替えて出力する。
【００５１】
図２に示されたマトリクス切り替え器９では、縦、横の信号の交点に図３に示すような切り替えスイッチが６３×１２６個マトリクス状に設けられていて、それぞれある方向から入力された信号を他の３方向のいずれかに自由に切り替えて出力することが可能なようになっている。図３に示した切り替えスイッチでは、Ａ方向から入力された信号を、Ｂ、Ｃ、Ｄ方向のいずれか１つの方向に切り替えて出力することができる。
【００５２】
本実施形態のディジタル変復調装置では、このマトリクス切り替え器９の設定をソフトウェアにより切り替えることができるようになっている。そして、本実施形態のディジタル変復調装置が使用される用途によって、予めソフトウェアを変更してマトリクス切り替え器９の設定を変更することにより様々な用途にあったディジタル変復調装置を実現することが可能となる。
【００５３】
次に、本実施形態のディジタル変復調装置の動作について図面を参照して詳細に説明する。
【００５４】
図１において、ＰＤＨベースバンド信号入力端子１に入力された複数のＰＤＨベースバンド信号はＰＤＨインタフェース回路５を通った後、図４に示されるように、マトリクス切り替え器９により下記の２つの経路のうちのいずれかを経由して出力される。
【００５５】
（１）信号多重化回路１０、１２方向へ選択／接続され、送信ディジタル処理回路１４、１６を通り変調器１８、２０へ入力され変調信号出力端子２２、２４から出力される。
【００５６】
（２）ＳＤＨマッピング回路３５、３７方向へ選択／接続されＳＤＨインタフェース回路３１、３３を通りＳＤＨ信号出力端子２７、２９より出力される。
【００５７】
またＳＤＨ信号入力端子２６、２８に入力されたＳＤＨ信号はＳＤＨインタフェース回路３０、３２を通りＳＤＨデマッピング回路３４、３６により複数のディジタル信号に変換され、図５に示されるように、マトリクス切り替え器９により下記の３つの経路のうちのいずれかを経由して出力される。
（１）ＰＤＨインタフェース回路６方向へ選択／接続され、ＰＤＨベースバンド信号出力端子２から出力される。
（２）信号多重化回路１０、１２方向へ選択／接続され、送信ディジタル処理回路１４、１６を通り変調器１８、２０を通り変調信号出力端子２２、２４から出力される。
（３）ＳＤＨマッピング回路３５、３７方向へ選択／接続され、ＳＤＨインタフェース回路３１、３３を通りＳＤＨ信号出力端子２７、２９より出力される。
【００５８】
また変調信号入力端子２３、２５から入力された変調信号は、受信ディジタル処理回路１５、１７および信号分離回路１１、１３により複数のディジタル信号に分離された後、図６に示されるように、マトリクス切り替え器９により下記の２つの経路のうちのいずれかを経由して出力される。
（１）ＰＤＨインタフェース回路６方向へ選択／接続され、ＰＤＨベースバンド信号出力端子２から出力される。
（２）信号多重化回路１０、１２方向へ選択／接続され、送信ディジタル処理回路１４、１６を通り変調器１８、２０を通り変調信号出力端子２２、２４から出力される。
（３）ＳＤＨマッピング回路３５、３７方向へ選択／接続されＳＤＨ信号インタフェース回路３１、３３を通りＳＤＨ信号出力端子２７、２９より出力される。
【００５９】
次に、本実施形態のディジタル変復調装置を用いた通信システムの構成例について説明する。
【００６０】
図７は、６方向分岐システムにおける集中局を本実施形態のディジタル変復調装置を用いて構成した場合の例を示す。図７に示したシステムは、本実施形態のディジタル変復調装置５１〜５３と、送受信装置（ＴＲ）５４〜５９と、アンテナ４０〜４５とから構成されている。
【００６１】
なお、図７中のディジタル変復調装置５１〜５３では、スペースの関係上、ＳＤＨマッピング回路３５、ＳＤＨデマッピング回路３６を“ＳＤＨ  Ｍａｐ／ＤｅＭａｐ”という１つのブロックにより示し、ＳＤＨインタフェース回路３０、３１（または３２、３３）を“ＳＰＩ”という１つのブロックとして示している。また同様の理由により、信号多重化回路（ＭＵＸ）１０（または１２）、信号分離回路１１（ＤｅＭＵＸ）（または１３）を“ＭＵＸ  ＤｅＭＵＸ”という１つのブロックにより示し、変調器１８（または２０）、復調器１９（または２１）、送信ディジタル処理回路１４（または１６）、受信ディジタル処理回路１５（または１７）を“ＭＤＤＰＵ”という１つのブロックにより示している。
【００６２】
次に、この図７に示した集中局の動作について説明する。図７において、６方向分岐信号はそれぞれアンテナ４０〜４５により送受信される。アンテナ４０、４１により受信された信号は送受信装置５４、５５により周波数変換されディジタル変復調装置５１の変調信号入力端子へ入力され、復調器、受信ディジタル処理回路を通りディジタル信号に変換された後、信号分離回路により複数のディジタル信号に変換され、マトリクス切り替え器により選択され、ＳＤＨマッピング回路によりＳＤＨ信号に変換されＳＤＨインタフェース回路を通りＳＤＨ信号出力端子より出力され、ディジタル変復調装置５２のＳＤＨ信号入力端子へ接続される。
【００６３】
アンテナ４２、４３により受信された信号は同様にディジタル変復調装置５２の変調信号入力端子へ入力され、復調器、受信ディジタル処理回路を通りディジタル信号に変換された後、信号分離回路により複数のディジタル信号に変換され、マトリクス切り替え器により選択され、ディジタル変復調装置５３方向のＳＤＨマッピング回路によりＳＤＨ信号に変換されＳＤＨインタフェース回路を通りＳＤＨ信号出力端子より出力され、ディジタル変復調装置５３のＳＤＨ信号入力端子へ接続される。またディジタル変復調装置５１からディジタル変復調装置５２のＳＤＨ信号入力端子へ入力されたＳＤＨ信号は、ＳＤＨインタフェース回路を通り、ＳＤＨデマッピング回路により複数のディジタル信号へ分離された後、マトリクス切り替え器により選択／合成され、ディジタル変復調装置５３方向のＳＤＨマッピング回路によりＳＤＨ信号に変換されＳＤＨインタフェース回路を通りＳＤＨ信号出力端子より出力され、ディジタル変復調装置５３のＳＤＨ信号入力端子へ接続される。
【００６４】
アンテナ４４、４５により受信された信号は同様にディジタル変復調装置５３の変調信号入力端子へ入力され、復調器、受信ディジタル処理回路を通りディジタル信号に変換された後、信号分離回路により複数のディジタル信号に変換され、マトリクス切り替え器により選択された後、他装置方向のＳＤＨマッピング回路によりＳＤＨ信号に変換されＳＤＨインタフェース回路を通りＳＤＨ信号出力端子より出力される、あるいはＰＤＨインタフェース回路をとおりＰＤＨベースバンド信号端子より出力される。またディジタル変復調装置５２からディジタル変復調装置５３のＳＤＨ信号入力端子へ入力されたＳＤＨ信号は、ＳＤＨ信号インタフェース回路を通り、ＳＤＨデマッピング回路により複数のディジタル信号へ分離された後、マトリクス切り替え器により選択／合成された後、他装置方向のＳＤＨマッピング回路によりＳＤＨ信号に変換されＳＤＨインタフェース回路を通りＳＤＨ信号出力端子より出力される、あるいはＰＤＨインタフェース回路をとおりＰＤＨベースバンド信号端子より出力される。
【００６５】
他装置からディジタル変復調装置５３に入力されたＰＤＨベースバンド信号あるいはＳＤＨ信号はそれぞれインタフェース回路を通り、ＰＤＨ信号はマトリクス切り替え器に入力、ＳＤＨ信号はＳＤＨデマッピング回路により複数のディジタル信号に分離された後マトリクス切り替え器に入力され、一部は信号多重化回路、送信ディジタル処理回路、変調器を通り、変調信号出力端子より出力され、送受信装置５８、５９に接続され周波数変換された後アンテナ４４、４５により送出される。
【００６６】
またマトリクス切り替え器出力の他のディジタル信号はディジタル変復調装置５２方向のＳＤＨマッピング回路によりＳＴＭ−信号等のＳＤＨ信号に変換されＳＤＨインタフェース回路をとおりＳＤＨ信号出力端子より出力され、ディジタル変復調装置５２へ接続される。ディジタル変復調装置５２では同様に、入力されたＳＤＨ信号を複数のディジタル信号へ変換した後マトリクス切り替え器により分岐され、一部は送受信機５６、６７へ接続されアンテナ４２、４３から送出される。また一部はディジタル変復調装置５１方向のＳＤＨマッピング回路によりＳＤＨ信号へ変換された後、ディジタル変復調装置５１へ接続される。ディジタル変復調装置５１では同様に、入力されたＳＤＨ信号を複数のディジタル信号へ変換した後マトリクス切り替え器により分岐され、送受信機５４、５５へ接続されアンテナ４０、４１から送出される。
【００６７】
また、図１に示した本実施形態のディジタル変復調装置を用いて、タンデム接続システムにおける端局および中間中継局を構成した場合のシステムを図８に示す。このタンデム接続システムは、端局８１と、中間中継局８２、８３、・・・と、端局（図示せず）とから構成されている。また、端局８１は、本実施形態のディジタル変復調装置６１と、送受信装置６４と、アンテナ７０とから構成され、中間中継局８２は、本実施形態のディジタル変復調装置６２と、送受信装置６５、６６と、アンテナ７１、７２とから構成され、中間中継局８３は、本実施形態のディジタル変復調装置６３と、送受信装置６７、６８と、アンテナ７３、７４とから構成されている。
【００６８】
次に、この図８に示したタンデム接続システムの動作について説明する。図８中の端局８１において、ディジタル変復調装置６１のＳＤＨ信号入力端子に入力されたＳＤＨ信号あるいはＰＤＨベースバンド信号入力端子に入力されたＰＤＨベースバンド信号はマトリクス切り替え器により選択／合成された後、信号多重化回路（ＭＵＸ）、送信ディジタル処理回路（ＴＤＰＵ）、変調器（ＭＯＤ）を通った後、変調信号出力端子から出力され、送受信装置６４に接続される。送受信装置６４により周波数変換された信号はアンテナ７０から空間に送出される。
【００６９】
次に、中間中継局８２において、端局８１から送出された信号はアンテナ７１により受信され送受信機６５により周波数変換された後、ディジタル変復調装置６２の変調信号入力端子に入力され、復調器（ＤＥＭ）、受信ディジタル処理回路（ＲＤＰＵ）、信号分離回路（ＤｅＭＵＸ）により複数のディジタル信号に分離された後、マトリクス切り替え器に入力される。一方、ディジタル変復調装置６２のＰＤＨベースバンド信号入力端子に入力された信号は、ＰＤＨインタフェース回路（ＳＰＩ）を通り、マトリクス切り替え器に入力される。マトリクス切り替え器では入力信号を選択／合成し別方向の送受信装置へ、信号多重化回路（ＭＵＸ）、送信ディジタル処理回路（ＴＤＰＵ）、変調器（ＭＯＤ）を介して接続される。送受信装置６６により周波数変換された信号はアンテナ７２から空間に送出される。
【００７０】
中間中継局８３以降においても、中間中継局８２と同様なプロセスをくり返すことにより、中間中継局にてＰＤＨベースバンド信号のケーブル接続なしで、タンデム接続が可能となる。
【００７１】
上記で説明したように本実施形態のディジタル変復調装置によれば、伝送容量／変調方式をソフトウェアにて可変することができるＰＤＨインタフェースを持つディジタル変復調装置に対して、マトリクス切り替え器９およびＳＤＨマッピング／デマッピング回路３４〜３７を新たに装備した構成としたことにより、従来のＰＤＨ用装置のベースバンド信号（Ｅ１／Ｔ１等）とＳＤＨ用装置のＳＤＨ信号両方のインタフェースを同時に持つことができる。また、ＰＤＨベースバンド信号の自局での取り出し／挿入を含め全ての信号の伝送方向を決められた最小単位（Ｅ１／Ｔ１等）毎にマトリクス切り替え器９によりソフトウェアで設定でき、かつ装置間接続を前述のＳＤＨインタフェースを使うことにより最小限のケーブルで接続できる。
【００７２】
さらに、本実施形態のディジタル変復調装置では、マトリクス切り替え器９にそれぞれ２系統の信号多重／分離回路１０〜１３、送受信ディジタル処理回路１４〜１７及び変復調回路１８〜２１を接続することにより１台の装置で２方向への伝送あるいは中間中継局構成が可能となりかつ２方向の伝送容量／変復調方式をソフトにより独立に切り替えることにより、複数の伝送容量／変調方式の装置構成が可能となる。
【００７３】
本実施形態では、ＰＤＨベースバンド信号をインタフェースとするＰＤＨ装置構成を基本とし、ＳＤＨマッピング／デマッピング回路３４〜３７とマトリクス切り替え器９を装備することによりＳＴＭ−１信号等のＳＤＨ信号をインタフェースとするＳＤＨ装置への接続をも可能とし、マトリクス切り替え器９により信号の伝送方向を多方向に設定することができる。さらに、装置間の接続をＳＤＨインタフェースにより行うことにより伝送容量に関係なく送受２本のケーブルにて実行でき、かつ複数の装置間の接続もＳＤＨインタフェースの入出力を交互に接続することにより実行できる。
【００７４】
なお、本実施形態のディジタル変復調装置では、柔軟性を持たせるためにＳＤＨ信号、ＰＤＨ信号を入出力するための、ＳＤＨインタフェース回路３０〜３３およびＳＤＨマッピング回路３５、３７、ＳＤＨデマッピング回路３４、３６がそれぞれ２系統備えられていたが、本発明はこのような場合に限定されるものではなく、ＳＤＨ信号、ＰＤＨ信号を入出力するための回路構成は最低限１系統ずつ存在すればよい。具体的には、図１に示した構成に対して、ＳＤＨインタフェース回路３１、３２、ＳＤＨマッピング回路３５、ＳＤＨデマッピング回路３６を削除した構成でも、本実施形態のディジタル変復調装置は実現可能である。
【図面の簡単な説明】
【００７５】
【図１】本発明の一実施形態のディジタル変復調装置の構成を示すブロック図である。
【図２】図１中のマトリクス切り替え器９の構成例を示す図である。
【図３】図２に示されたマトリクス切り替え器９を構成する切り替えスイッチを説明するための図である。
【図４】ＰＤＨインタフェース回路５から入力された信号の切り替え経路を説明するための図である。
【図５】ＳＤＨデマッピング回路３４、３６から入力された信号の切り替え経路を説明するための図である。
【図６】信号分離回路１１、１３から入力された信号の切り替え経路を説明するための図である。
【図７】本発明の一実施形態のディジタル変復調装置を用いて、６方向分岐システムにおける集中局の構成した場合のシステム図である。
【図８】本発明の一実施形態のディジタル変復調装置を用いて、タンデム接続システムにおける端局および中間中継局を構成した場合のシステム図である。
【図９】従来のＰＤＨ装置の構成例を示した図である。
【図１０】従来のＰＤＨ装置の構成例を示した図である。
【図１１】図９に示した従来のＰＤＨ装置を用いて中間中継局を構成した場合のシステム図である。
【図１２】図１０に示した従来のＳＤＨ装置を用いて中間中継局を構成した場合のシステム図である。
【図１３】図１２に示したシステムに対してＡＤＭ装置９４を追加した場合の構成を示す図である。
【符号の説明】
【００７６】
１    ＰＤＨベースバンド信号入力端子
２    ＰＤＨベースバンド信号出力端子
５、６    ＰＤＨインタフェース回路（ＬＩＵ）
９    マトリクス切り替え器
１０、１２    信号多重化回路（ＭＵＸ）
１１、１３    信号分離回路（ＤｅＭＵＸ）
１４、１６    送信ディジタル処理回路（ＴＤＰＵ）
１５、１７    受信ディジタル処理回路（ＲＤＰＵ）
１８、２０    変調器（ＭＯＤ）
１９、２１    復調器（ＤＥＭ）
２２、２４    変調信号出力端子
２３、２５    変調信号入力端子
２６、２８    ＳＤＨ信号入力端子
２７、２９    ＳＤＨ信号出力端子
３０〜３３    ＳＤＨインタフェース回路（ＳＰＩ）
３４、３６    ＳＤＨデマッピング回路
３５、３７    ＳＤＨマッピング回路
４０〜４５    アンテナ
５１〜５３    ディジタル変復調装置
５４〜５９    送受信装置（ＴＲ）
６１〜６３    ディジタル変復調装置
６４〜６８    送受信装置（ＴＲ）
７０〜７４    アンテナ
９０、９１    ディジタル変復調装置（ＰＤＨ装置）
９２、９３    ディジタル変復調装置（ＳＤＨ装置）
９４    ＡＤＭ装置
９５、９６    送受信装置（ＴＲ）
９７、９８    アンテナ
【図１】
2006060467.tif 000003
【図２】
2006060467.tif 000004
【図３】
2006060467.tif 000005
【図４】
2006060467.tif 000006
【図５】
2006060467.tif 000007
【図６】
2006060467.tif 000008
【図７】
2006060467.tif 000009
【図８】
2006060467.tif 000010
【図９】
2006060467.tif 000011
【図１０】
2006060467.tif 000012
【図１１】
2006060467.tif 000013
【図１２】
2006060467.tif 000014
【図１３】
2006060467.tif 000015